(57)【要約】      （修正有）【課題】金封を開封したり、折り返し片を押し上げたり、飾り紐の水引をずらすことなく、短冊シートを容易に着脱することができ、かつ、装着後は簡単に滑落しない構造を持つ金封を提供する。【解決手段】金封裏面上部の折り返し片３ａと金封裏面下部の折り返し片３ｂそれぞれに切り込み４ａ、４ｂを設け、短冊シート５を差し込み格納する構造とする。【選択図】図５
0003205137.tif 000002
【実用新案登録請求の範囲】
【請求項１】
金封裏面上部の折り返し片と金封裏面下部の折り返し片それぞれに、短冊シートを差し込み格納するための切り込みを設けた構造を特徴とする金封。
【考案の詳細な説明】
【技術分野】
【０００１】
本考案は、短冊シートを容易に着脱できる金封に関する。
【背景技術】
【０００２】
金封は冠婚葬祭において、金銭を贈るために使用するもので、機能も金銭を贈ることに特化しており、金封本体の他、表書き、のし、水引、中袋から構成されるものが一般的であるが、従来より葬儀参列者または結婚式列席者（この明細書において、出席者という）の住所・氏名等（この明細書において、出席者情報という）を記入したシート等や、お悔みやお祝いの文言（この明細書において、メッセージという）を記入したシート等（この明細書において、短冊シートという）を別途添付するという以下の提案もされている。
１）短冊シートを金封に印刷するタイプ
２）短冊シートを金封内に同封するタイプ
３）短冊シートを金封に添付するタイプ
４）短冊シートを金封に貼付するタイプ
５）短冊シートを金封に差し込むタイプ
このうち、１）短冊シートを金封に印刷するタイプ〜４）短冊シートを金封に貼付するタイプは、本考案とは別タイプのものであり相違しているが、５）短冊シートを金封に差し込むタイプで次のような提案がされている。
【０００３】
金封裏面にメッセージカードの角を差し込むもの（例えば、特許文献１）が提案されているが、印刷ではない別途形成された水引（この明細書において、飾り紐の水引という）と、短冊シート角に対応する差し込みにより固定するもので、飾り紐の水引があることを前提としている金封であり、短冊シートを着脱する際は、飾り紐の水引をずらす等の操作が発生し、着脱に煩わしさを感じる。
【０００４】
金封表面または裏面にポケットを設け、ポケットに短冊シートを格納するもの（例えば、特許文献２）が提案されているが、金封の構造が複雑になり、金封制作におけるコスト高が懸念される。
【０００５】
金封裏面上部１か所に切込みを設け、短冊シートを差し込み格納するもの（例えば、特許文献３）が提案されているが、差し込み格納する部分が長いため、差し込み格納するには複数回差し込む操作が必要となる。
逆に取り出す際は、少ない露出部分を抓み、格納されている長い部分を引き抜くことになるため、容易に引き抜くことができない。
また、上下の折り返し片を折り畳んだだときに、どちらかでも折り返し片が短冊シートの露出部分に一部でも重なると、重なった折り返し片を押し上げないと短冊シートを取り出すことができないため不便である。
【０００６】
金封表面または裏面に切込みを設け、短冊シートを差し込み格納するもの（例えば、特許文献４）が提案されているが、金封裏面に短冊シートを差し込み格納した状態で、上下の折り返し片を折り畳んだだときに、どちらかでも折り返し片が短冊シートに一部でも重なると、重なった折り返し片を押し上げないと短冊シートを取り出すことができないため不便である。
一方、金封裏面に短冊シートを差し込み格納した状態で、上下の折り返し片を折り畳んだだときに折り返し片が一部でも短冊シートに重ならないようにしようとすると、折り畳んだ上下の折り返し片の間に短冊シートを格納することになるため、おのずと短冊シートは短くなる。
金封ごとに折り返し片の長さが違うと、金封ごとに長さの違う短冊シートを使用することになり、統一感がなく使い勝手が悪くなるという問題を有する。
【先行技術文献】
【特許文献】
【０００７】
【特許文献１】実用新案登録第３１５６５７３号公報
【特許文献２】実開平０３-０６０２７３号公報
【特許文献３】実開平０５−０３５７５３号公報
【特許文献４】実用新案登録第３０５７３６４号公報
【考案の概要】
【考案が解決しようとする課題】
【０００８】
本考案は、金封を開封したり、折り返し片を押し上げたり、飾り紐の水引をずらすことなく、短冊シートを容易に着脱することができ、かつ、装着後は簡単に滑落しない構造を持つ金封を提供することを課題とする。
【課題を解決するための手段】
【０００９】
金封裏面上部の折り返し片（この明細において、上部折り返し片という）と金封裏面下部の折り返し片（この明細において、下部折り返し片という）に切り込みを設け、短冊シートを差し込み格納する構造とすることで解決した。
【考案の効果】
【００１０】
金封を開封したり、折り返し片を押し上げたり、飾り紐の水引をずらしたりすることなく短冊シートの着脱（差し込み格納や取り出し）が容易に行える。
差し込み格納された短冊シートは金封裏面の最前面に多くの部分が露出するため、飾り紐の水引の有無に影響されることなく容易に抓んで取り出すことができる。また、簡単に滑落することもない。
金封ごとに長さの違う折り返し片であっても、短冊シートの長さは同じであるため、統一感があり使い勝手も向上する。さらに、短冊シートを金封の上下方向に差し込み格納することにより、金封と同等の長さまで最大限に使用できる。
【図面の簡単な説明】
【００１１】
【図１】本考案の金封表面の一例を示す正面図である。
【図２】図１において、上部折り返し片と下部折り返し片が重ならない例の背面図である。
【図３】図２において、短冊シートを差し込み格納した状態の図である。
【図４】図１において、上部折り返し片と下部折り返し片が重なる例の背面図である。
【図５】図４において、飾り紐の水引または印刷した水引の上から短冊シートを差し込み格納した状態の図である。
【図６】図４において、飾り紐の水引の下を通して短冊シートを差し込み格納した状態の図である。
【図７】短冊シートにメッセージを記入した一例の正面図である。
【図８】短冊シートに出席者情報を記入した一例の正面図である。
【図９】短冊シートから短冊シールを剥離している途中の一例の斜視図である。
【図１０】短冊シール（出席者情報）を芳名帳に貼付したページの一例の正面図である。
【図１１】短冊シール（出席者情報）と短冊シール（メッセージ）を芳名帳の左右見開きページに貼付した状態の一例の正面図である。
【図１２】短冊シール（出席者情報）と短冊シール（メッセージ）を芳名帳の同一ページ内に貼付した状態の一例の正面図である。
【考案を実施するための形態】
【００１２】
本考案は、金封を開封したり、折り返し片を押し上げたり、飾り紐の水引をずらすことなく、短冊シートを容易に着脱することができ、かつ、装着後は簡単に滑落しない構造を持つ金封であり、以下実施するための形態を図面より説明する。
【００１３】
上部折り返し片３ａに設けた切り込み４ａおよび下部折り返し片３ｂに設けた切り込み４ｂは、短冊シート５の幅よりやや大きめな半円状とし、短冊シートの複数枚差し込み格納を可能とする構造とする（図２、図４）。
また、金封裏面上辺および下辺から一定の位置に切り込みを設けることにより、折り返し片の長さ（上下の折り返し片を折り畳んだときに重なるか重ならないか）に影響されることなく短冊シートの長さを同じにすることができる。さらに、短冊シートは金封の上下方向に差し込み格納するため、金封と同等の長さまで最大限使用することができる。
【実施例１】
【００１４】
予め短冊シートに出席者情報を記入しておき（図８）、これを金封１に差し込み格納し一体化させ式場受付けに差し出せば、受付け時の芳名帳記帳による混雑もなく受付けを済ますことができる。短冊シートを金封１に差し込み格納後、受付けに差し出すまでの間、短冊シートは滑落することもなかった。
【００１５】
地域により式場受付係りが、金封に記載されている氏名・住所等を手書きで芳名帳に書き写して芳名帳を作成しており、その作業負荷はかなり高いものであったが、金封１より出席者情報が記入された短冊シート（図８）を取り出し、出席者情報が記入された短冊シール７を剥離し（図９）、芳名帳に貼付（図１０）する作業になり、作業効率は格段に改善され受付係りの作業負荷は軽減された。
【００１６】
金封１に出席者情報を記入した短冊シート（図８）とメッセージを記入した短冊シート（図７）が差し込み格納されている場合は、それぞれの短冊シート５より、それぞれの短冊シール７を剥離し、芳名帳の同一ページ内（図１２）または左右見開きページ（図１１）に左右対にして貼付することで、単なる出席者情報のみの芳名帳とは違い、メッセージ付きの芳名帳として格別な貴重な思い出の品になる。
【００１７】
なお、本考案はこの実施例によってなんら限定されるものではない。
たとえば、切り込みであれば、その位置、大きさ、形等。
短冊シートであれば、その大きさ、形、短冊シールの有無、素材、枚数、記載内容、文字スタイル・フォント・サイズ等。
短冊シールであれば、その大きさ、形、素材、記載内容、文字スタイル・フォント・サイズ等。
台帳（芳名帳等）であれば、その用紙の向き（縦向きまたは横向き）、サイズ、記載内容、芳名帳を構成する枚数、短冊シールの貼付位置等。
【符号の説明】
【００１８】
１    金封
２ａ  印刷した水引
２ｂ  飾り紐の水引
３ａ  上部折り返し片
３ｂ  下部折り返し片
４ａ  上部折り返し片切込み
４ｂ  下部折り返し片切込み
５    短冊シート
６    短冊シートタイトル
７    短冊シール
８    芳名帳タイトル
９    短冊シール添付位置枠線
【図１】
0003205137.tif 000003
【図２】
0003205137.tif 000004
【図３】
0003205137.tif 000005
【図４】
0003205137.tif 000006
【図５】
0003205137.tif 000007
【図６】
0003205137.tif 000008
【図７】
0003205137.tif 000009
【図８】
0003205137.tif 000010
【図９】
0003205137.tif 000011
【図１０】
0003205137.tif 000012
【図１１】
0003205137.tif 000013
【図１２】
0003205137.tif 000014